(57)【要約】【課題】インターネット上において、ユーザが興味のある特定事象について、その事象についての経験に関する情報を検索した場合、ユーザの意図に合致した有益な情報を検索できるような、データ送信装置、データ記憶装置、データ表示装置及びデータ検索装置を提供する【解決手段】興味対象について、経験したことを、データとして蓄積するに際して、予め経験内容をインデックスとして決定しておき、各インデックス毎に経験に関する情報を投稿し、蓄積された経験情報を、インデックスによって検索する。【選択図】図１４
2014044714.tif 000002
【特許請求の範囲】
【請求項１】
興味の対象、当該興味の対象に対して経験したい内容及び経験した内容の少なくとも一方の各々異なる複数の種類の中から選択された経験内容、及び当該経験内容に対するコメントの各データを入力するための画面を表示する表示手段と、
前記表示手段により表示された前記画面を利用して、前記各データを入力する入力手段と、
前記入力手段により入力された前記各データを送信する送信手段と、
を備えたデータ送信装置。
【請求項２】
前記複数の種類の経験内容の各々は、マークにより表現され、
前記画面には、前記複数の種類の経験内容を表現する複数のマークが表示され、
前記入力手段は、前記表示された複数のマークから１つのマークを選択することにより、前記経験内容のデータを入力し、
前記送信手段は、前記経験内容のデータとして、前記選択された内容を表現するマークのデータを送信することを特徴とする請求項１に記載のデータ送信装置。
【請求項３】
前記コメントには、前記興味の対象に対する経験の説明及び前記興味の対象に対する経験の評価の少なくとも一方が含まれることを特徴とする請求項２又は請求項３に記載のデータ送信装置。
【請求項４】
前記各データを入力するための画面のデータを受信する受信手段を更に備え、
前記表示手段は、前記受信手段により受信された画面のデータに基づいて、前記画面を表示することを特徴とする請求項１〜３の何れか１項に記載のデータ送信装置。
【請求項５】
興味の対象、当該興味の対象に対して経験したい内容及び経験した内容の少なくとも一方の各々異なる複数の種類の中から選択された経験内容、及び当該経験内容に対するコメントの各データを受信する受信手段と、
前記受信手段により受信された前記各データに基づいて、前記興味の対象及び前記経験内容のデータ毎に、当該経験内容に対するコメントのデータを対応して記憶する記憶手段と、
を備えたデータ記憶装置。
【請求項６】
前記複数の種類の経験内容の各々は、マークにより表現され、
前記経験内容のデータは、前記選択された内容を表現するマークのデータであることを特徴とする請求項５に記載のデータ記憶装置。
【請求項７】
前記コメントには、前記興味の対象に対する経験の説明及び前記興味の対象に対する経験の評価の少なくとも一方が含まれることを特徴とする請求項５又は請求項６に記載のデータ記憶装置。
【請求項８】
表示手段に表示されると共に、前記興味の対象、前記経験内容、及び前記コメントの各データを入力するための画面のデータを送信する送信手段を更に備えた請求項５〜７の何れか１項に記載のデータ記憶装置。
【請求項９】
興味の対象、当該興味の対象に対して経験したい内容及び経験した内容の少なくとも一方の各々異なる複数の種類の中から選択された経験内容、及び当該経験内容に対するコメントの各データを対応して記憶する記憶手段を有するデータ検索装置に、興味対象のデータを送信する送信手段と、
前記送信手段により送信された前記興味対象のデータに基づいて検索された前記経験内容及び前記コメントを前記データ検索装置から受信する受信手段と、
前記受信手段により受信された前記各データに基づいて、前記興味の対象及び前記経験内容毎に、当該経験内容に対するコメントを表示する表示手段と、
を備えたデータ表示装置。
【請求項１０】
前記複数の種類の経験内容の各々は、マークにより表現され、
前記表示手段は、前記受信された前記経験内容を、前記マークにより表示する、
ことを特徴とする請求項９に記載のデータ表示装置。
【請求項１１】
前記コメントには、前記興味の対象に対する経験の説明及び前記興味の対象に対する経験の評価の少なくとも一方が含まれることを特徴とする請求項９又は請求項１０に記載のデータ表示装置。
【請求項１２】
興味の対象、当該興味の対象に対して経験したい内容及び経験した内容の少なくとも一方の各々異なる複数の種類の中から選択された経験内容、及び当該経験内容に対するコメントの各データを対応して記憶する記憶手段と、
興味の対象のデータを受信する受信手段と、
前記受信手段により受信された前記興味の対象のデータに対応する前記経験内容及び前記コメントの各データを前記記憶手段から検索する検索手段と、
前記検索された前記各データを送信する送信手段と、
を備えたデータ検索装置。
【請求項１３】
前記コメントには、前記興味の対象に対する経験の説明及び前記興味の対象に対する経験の評価の少なくとも一方が含まれることを特徴とする請求項１２に記載のデータ検索装置。
【請求項１４】
表示手段が、興味の対象、当該興味の対象に対して経験したい内容及び経験した内容の少なくとも一方の各々異なる複数の種類の中から選択された経験内容、及び当該経験内容に対するコメントの各データを入力するための画面を表示するステップと、
入力手段が、前記表示手段により表示された前記画面を利用して、前記各データを入力するステップと、
送信手段が、前記入力手段により入力された前記各データを送信するステップと、
を備えたデータ送信方法。
【請求項１５】
前記複数の種類の経験内容の各々は、マークにより表現され、
前記画面には、前記複数の種類の経験内容を表現する複数のマークが表示され、
前記入力手段は、前記表示された複数のマークから１つのマークを選択することにより、前記経験内容のデータを入力し、
前記送信手段は、前記経験内容のデータとして、前記選択された内容を表現するマークのデータを送信することを特徴とする請求項１４に記載のデータ送信方法。
【請求項１６】
前記コメントには、前記興味の対象に対する経験の説明及び前記興味の対象に対する経験の評価の少なくとも一方が含まれることを特徴とする請求項１４又は請求項１５に記載のデータ送信方法。
【請求項１７】
受信手段が、前記各データを入力するための画面のデータを受信するステップを更に備え、
前記表示手段は、前記受信手段により受信された画面のデータに基づいて、前記画面を表示することを特徴とする請求項１４〜１６の何れか１項に記載のデータ送信方法。
【請求項１８】
受信手段が、興味の対象、当該興味の対象に対して経験したい内容及び経験した内容の少なくとも一方の各々異なる複数の種類の中から選択された経験内容、及び当該経験内容に対するコメントの各データを受信するステップと、
記憶手段が、前記受信手段により受信された前記各データに基づいて、前記興味の対象及び前記経験内容のデータ毎に、当該経験内容に対するコメントのデータを対応して記憶するステップと、
を備えたデータ記憶方法。
【請求項１９】
前記複数の種類の経験内容の各々は、マークにより表現され、
前記経験内容のデータは、前記選択された内容を表現するマークのデータであることを特徴とする請求項１８に記載のデータ記憶方法。
【請求項２０】
前記コメントには、前記興味の対象に対する経験の説明及び前記興味の対象に対する経験の評価の少なくとも一方が含まれることを特徴とする請求項１８又は請求項１９に記載のデータ記憶方法。
【請求項２１】
送信手段が、表示手段に表示されると共に、前記興味の対象、前記経験内容、及び前記コメントの各データを入力するための画面のデータを送信するステップを更に備えた請求項１８〜２０の何れか１項に記載のデータ記憶方法。
【請求項２２】
送信手段が、興味の対象、当該興味の対象に対して経験したい内容及び経験した内容の少なくとも一方の各々異なる複数の種類の中から選択された経験内容、及び当該経験内容に対するコメントの各データを対応して記憶する記憶手段を有するデータ検索装置に、興味対象のデータを送信するステップと、
受信手段が、前記送信手段により送信された前記興味対象のデータに基づいて検索された前記経験内容及び前記コメントを前記データ検索装置から受信するステップと、
表示手段が、前記受信手段により受信された前記各データに基づいて、前記興味の対象及び前記経験内容毎に、当該経験内容に対するコメントを表示するステップと、
を備えたデータ表示方法。
【請求項２３】
前記複数の種類の経験内容の各々は、マークにより表現され、
前記表示手段は、前記受信された前記経験内容を、前記マークにより表示する、
ことを特徴とする請求項２２に記載のデータ表示方法。
【請求項２４】
前記コメントには、前記興味の対象に対する経験の説明及び前記興味の対象に対する経験の評価の少なくとも一方が含まれることを特徴とする請求項２２又は請求項２３に記載のデータ表示方法。
【請求項２５】
記憶手段が、興味の対象、当該興味の対象に対して経験したい内容及び経験した内容の少なくとも一方の各々異なる複数の種類の中から選択された経験内容、及び当該経験内容に対するコメントの各データを対応して記憶するステップと、
受信手段が、興味の対象のデータを受信するステップと、
検索手段が、前記受信手段により受信された前記興味の対象のデータに対応する前記経験内容及び前記コメントの各データを前記憶手段から検索するステップと、
送信手段が、前記検索された前記各データを送信するステップと、
を備えたデータ検索方法。
【請求項２６】
前記コメントには、前記興味の対象に対する経験の説明及び前記興味の対象に対する経験の評価の少なくとも一方が含まれることを特徴とする請求項２５に記載のデータ検索方法。
【発明の詳細な説明】
【技術分野】
【０００１】
この発明は、データ送信装置、データ記憶装置、データ表示装置、データ検索装置、データ送信方法、データ記憶方法、データ表示方法及びデータ検索方法に関するものである。
【背景技術】
【０００２】
従来、インターネット上において所望の情報を検索する場合においては、従来、検索サイトが利用されている。検索サイトでは、キーワードの入力部に入力された複数のキーワードに基づいて検索が行われる。  
そして、画面に表示された検索結果リストは、入力されたキーワードに最もマッチング度が高い順に、ホームページのタイトル等が上から下へ配置される。表示されているリストには、リンク付けされており、リストをポインティングデバイスによりクリックすることで、リストに挙げられたホームページが表示される。
【０００３】
一方、ユーザが欲する頻度の高い情報として、経験に関する情報がある。例えば、特定の商品の購入を希望しているインターネットのユーザが、その商品について検索した場合、その商品に関する定性的な情報(価格、大きさ、使い方等)の他に、その商品を経験した人の感想に関する情報を取得することが、ユーザにとって、より有益な情報となる。このため、ユーザは、経験に関する情報を欲する傾向が高いといった背景がある。
【先行技術文献】
【特許文献】
【０００４】
【特許文献１】特開2007-34772
【発明の概要】
【発明が解決しようとする課題】
【０００５】
しかしながら、従来の検索サイトにおいて検索結果表示画面に表示されるリストでは、検索を掛けたユーザにとって真に有益な情報が表示されていない場合が多い。  
また、リストが表示されたのみでは、そのリストに表示されたサイトにどのような情報が記載されているのか分からない。このため、表示されたリストの内容を確かめるために、１つずつリストをクリックし、サイトの内容を読まなければならない。また、そのようにサイトの内容を表示したとしても、ユーザが欲する情報がどこに記載されているのか、内容を全て読み込む必要が生じ、欲しい情報を抽出するために時間を要する。  
特に、興味の対象となっている事象(例えば、商品、観光地等)について、既に経験した人の感想が知りたい場合、検索キーワードを工夫したとしても、効率よく、経験に関する情報が得られるとは限らない。
【０００６】
この発明は、インターネット上において、ユーザが興味のある特定事象について、その事象についての経験に関する情報を検索した場合、ユーザの意図に合致した有益な情報を検索できるような、データ送信装置、データ記憶装置、データ表示装置、データ検索装置、データ送信方法、データ記憶方法、データ表示方法及びデータ検索方法を提供することを目的とする。
【課題を解決するための手段】
【０００７】
以上のような問題を解決する本発明は、以下のような構成を有する。  
（１）  興味の対象、当該興味の対象に対して経験したい内容及び経験した内容の少なくとも一方の各々異なる複数の種類の中から選択された経験内容、及び当該経験内容に対するコメントの各データを入力するための画面を表示する表示手段と、
前記表示手段により表示された前記画面を利用して、前記各データを入力する入力手段と、
前記入力手段により入力された前記各データを送信する送信手段と、
を備えたデータ送信装置。
【０００８】
（２）  前記複数の種類の経験内容の各々は、マークにより表現され、
前記画面には、前記複数の種類の経験内容を表現する複数のマークが表示され、
前記入力手段は、前記表示された複数のマークから１つのマークを選択することにより、前記経験内容のデータを入力し、
前記送信手段は、前記経験内容のデータとして、前記選択された内容を表現するマークのデータを送信することを特徴とする上記（１）に記載のデータ送信装置。
【０００９】
（３）  前記コメントには、前記興味の対象に対する経験の説明及び前記興味の対象に対する経験の評価の少なくとも一方が含まれることを特徴とする上記（２）又は（３）に記載のデータ送信装置。
【００１０】
（４）  前記各データを入力するための画面のデータを受信する受信手段を更に備え、
前記表示手段は、前記受信手段により受信された画面のデータに基づいて、前記画面を表示することを特徴とする上記（１）〜（３）の何れか１項に記載のデータ送信装置。
【００１１】
（５）  興味の対象、当該興味の対象に対して経験したい内容及び経験した内容の少なくとも一方の各々異なる複数の種類の中から選択された経験内容、及び当該経験内容に対するコメントの各データを受信する受信手段と、
前記受信手段により受信された前記各データに基づいて、前記興味の対象及び前記経験内容のデータ毎に、当該経験内容に対するコメントのデータを対応して記憶する記憶手段と、
を備えたデータ記憶装置。
【００１２】
（６）  前記複数の種類の経験内容の各々は、マークにより表現され、
前記経験内容のデータは、前記選択された内容を表現するマークのデータであることを特徴とする上記（５）に記載のデータ記憶装置。
【００１３】
（７）  前記コメントには、前記興味の対象に対する経験の説明及び前記興味の対象に対する経験の評価の少なくとも一方が含まれることを特徴とする上記（５）又は（６）に記載のデータ記憶装置。
【００１４】
（８）  表示手段に表示されると共に、前記興味の対象、前記経験内容、及び前記コメントの各データを入力するための画面のデータを送信する送信手段を更に備えた上記（５）〜（７）の何れか１項に記載のデータ記憶装置。
【００１５】
（９）  興味の対象、当該興味の対象に対して経験したい内容及び経験した内容の少なくとも一方の各々異なる複数の種類の中から選択された経験内容、及び当該経験内容に対するコメントの各データを対応して記憶する記憶手段を有するデータ検索装置に、興味対象のデータを送信する送信手段と、
前記送信手段により送信された前記興味対象のデータに基づいて検索された前記経験内容及び前記コメントを前記データ検索装置から受信する受信手段と、
前記受信手段により受信された前記各データに基づいて、前記興味の対象及び前記経験内容毎に、当該経験内容に対するコメントを表示する表示手段と、
を備えたデータ表示装置。
【００１６】
（１０）  前記複数の種類の経験内容の各々は、マークにより表現され、
前記表示手段は、前記受信された前記経験内容を、前記マークにより表示する、
ことを特徴とする上記（９）に記載のデータ表示装置。
【００１７】
（１１）  前記コメントには、前記興味の対象に対する経験の説明及び前記興味の対象に対する経験の評価の少なくとも一方が含まれることを特徴とする上記（９）又は（１０）に記載のデータ表示装置。
【００１８】
（１２）  興味の対象、当該興味の対象に対して経験したい内容及び経験した内容の少なくとも一方の各々異なる複数の種類の中から選択された経験内容、及び当該経験内容に対するコメントの各データを対応して記憶する記憶手段と、
興味の対象のデータを受信する受信手段と、
前記受信手段により受信された前記興味の対象のデータに対応する前記経験内容及び前記コメントの各データを前記記憶手段から検索する検索手段と、
前記検索された前記各データを送信する送信手段と、
を備えたデータ検索装置。
【００１９】
（１３）  前記コメントには、前記興味の対象に対する経験の説明及び前記興味の対象に対する経験の評価の少なくとも一方が含まれることを特徴とする上記（１２）に記載のデータ検索装置。
【００２０】
（１４）  表示手段が、興味の対象、当該興味の対象に対して経験したい内容及び経験した内容の少なくとも一方の各々異なる複数の種類の中から選択された経験内容、及び当該経験内容に対するコメントの各データを入力するための画面を表示するステップと、
入力手段が、前記表示手段により表示された前記画面を利用して、前記各データを入力するステップと、
送信手段が、前記入力手段により入力された前記各データを送信するステップと、
を備えたデータ送信方法。
【００２１】
（１５）  前記複数の種類の経験内容の各々は、マークにより表現され、
前記画面には、前記複数の種類の経験内容を表現する複数のマークが表示され、
前記入力手段は、前記表示された複数のマークから１つのマークを選択することにより、前記経験内容のデータを入力し、
前記送信手段は、前記経験内容のデータとして、前記選択された内容を表現するマークのデータを送信することを特徴とする上記（１４）に記載のデータ送信方法。
【００２２】
（１６）  前記コメントには、前記興味の対象に対する経験の説明及び前記興味の対象に対する経験の評価の少なくとも一方が含まれることを特徴とする上記（１４）又は（１５）に記載のデータ送信方法。
【００２３】
（１７）  受信手段が、前記各データを入力するための画面のデータを受信するステップを更に備え、
前記表示手段は、前記受信手段により受信された画面のデータに基づいて、前記画面を表示することを特徴とする上記（１４）〜（１６）の何れか１に記載のデータ送信方法。
【００２４】
（１８）  受信手段が、興味の対象、当該興味の対象に対して経験したい内容及び経験した内容の少なくとも一方の各々異なる複数の種類の中から選択された経験内容、及び当該経験内容に対するコメントの各データを受信するステップと、
記憶手段が、前記受信手段により受信された前記各データに基づいて、前記興味の対象及び前記経験内容のデータ毎に、当該経験内容に対するコメントのデータを対応して記憶するステップと、
を備えたデータ記憶方法。
【００２５】
（１９）  前記複数の種類の経験内容の各々は、マークにより表現され、
前記経験内容のデータは、前記選択された内容を表現するマークのデータであることを特徴とする上記（１８）に記載のデータ記憶方法。
【００２６】
（２０）  前記コメントには、前記興味の対象に対する経験の説明及び前記興味の対象に対する経験の評価の少なくとも一方が含まれることを特徴とする上記（１８）又は（１９）に記載のデータ記憶方法。
【００２７】
（２１）  送信手段が、表示手段に表示されると共に、前記興味の対象、前記経験内容、及び前記コメントの各データを入力するための画面のデータを送信するステップを更に備えた上記（１８）〜（２０）の何れか１に記載のデータ記憶方法。
【００２８】
（２２）  送信手段が、興味の対象、当該興味の対象に対して経験したい内容及び経験した内容の少なくとも一方の各々異なる複数の種類の中から選択された経験内容、及び当該経験内容に対するコメントの各データを対応して記憶する記憶手段を有するデータ検索装置に、興味対象のデータを送信するステップと、
受信手段が、前記送信手段により送信された前記興味対象のデータに基づいて検索された前記経験内容及び前記コメントを前記データ検索装置から受信するステップと、
表示手段が、前記受信手段により受信された前記各データに基づいて、前記興味の対象及び前記経験内容毎に、当該経験内容に対するコメントを表示するステップと、
を備えたデータ表示方法。
【００２９】
（２３）  前記複数の種類の経験内容の各々は、マークにより表現され、
前記表示手段は、前記受信された前記経験内容を、前記マークにより表示する、
ことを特徴とする上記（２２）に記載のデータ表示方法。
【００３０】
（２４）
前記コメントには、前記興味の対象に対する経験の説明及び前記興味の対象に対する経験の評価の少なくとも一方が含まれることを特徴とする上記（２２）又は（２３）に記載のデータ表示方法。
【００３１】
（２５）  記憶手段が、興味の対象、当該興味の対象に対して経験したい内容及び経験した内容の少なくとも一方の各々異なる複数の種類の中から選択された経験内容、及び当該経験内容に対するコメントの各データを対応して記憶するステップと、
受信手段が、興味の対象のデータを受信するステップと、
検索手段が、前記受信手段により受信された前記興味の対象のデータに対応する前記経験内容及び前記コメントの各データを前記憶手段から検索するステップと、
送信手段が、前記検索された前記各データを送信するステップと、
を備えたデータ検索方法。
【００３２】
（２６）  前記コメントには、前記興味の対象に対する経験の説明及び前記興味の対象に対する経験の評価の少なくとも一方が含まれることを特徴とする上記（２５）に記載のデータ検索方法。
【発明の効果】
【００３３】
請求項１及び１４に記載の発明は、興味の対象、当該興味の対象に対して経験したい内容及び経験した内容の少なくとも一方の各々異なる複数の種類の中から選択された経験内容、及び当該経験内容に対するコメントの各データを入力するための画面を利用して、各データを入力し、入力された各データを送信するので、送信先において、興味の対象と複数の種類の中から選択された経験内容とに対応して、当該経験内容に対するコメントのデータを記憶させることができる、という効果を有する。
【００３４】
請求項２及び１５に記載の発明は、複数の種類の経験内容の各々は、マークにより表現され、画面には、複数の種類の経験内容を表現する複数のマークが表示され、表示された複数のマークから１つのマークを選択することにより、経験内容のデータを入力するので、経験内容のデータを容易に入力することができる、という効果を有する。  
請求項３及び１６に記載の発明は、コメントには、興味の対象に対する経験の説明及び興味の対象に対する経験の評価の少なくとも一方が含まれるので、送信先に、経験の内容又は評価というより具体的な内容のデータを記憶させることができる、という効果を有する。
【００３５】
請求項４及び１７に記載の発明は、各データを入力するための画面のデータを受信し、受信された画面のデータに基づいて、画面を表示するので、データ送信装置側で当該画面のデータを記憶しないで済むようにすることができる、という効果を有する。  
請求項５及び１８に記載の発明は、興味の対象、当該興味の対象に対して経験したい内容及び経験した内容の少なくとも一方の各々異なる複数の種類の中から選択された経験内容、及び当該経験内容に対するコメントの各データを受信し、受信された各データに基づいて、興味の対象及び経験内容のデータ毎に、当該経験内容に対するコメントのデータを対応して記憶するので、興味の対象及び経験内容のデータにコメントのデータを容易に検索することができる、という効果を有する。
【００３６】
請求項６及び１９に記載の発明は、複数の種類の経験内容の各々は、マークにより表現され、経験内容のデータは、選択された内容を表現するマークのデータとしているので、経験内容の具体的なデータを記憶しなくとも済むようにすることができる、という効果を有する。  
請求項７及び２０に記載の発明は、コメントには、興味の対象に対する経験の説明及び興味の対象に対する経験の評価の少なくとも一方が含まれるので、より具体的な内容のコメントのデータを記憶することができる、という効果を有する。
【００３７】
請求項８及び２１に記載の発明は、興味の対象、経験内容、及びコメントの各データを入力するための画面のデータを送信するので、送信先に、画面のデータを記憶しないで済むようにすることができる、という効果を有する。  
請求項９及び２２に記載の発明は、興味の対象、当該興味の対象に対して経験したい内容及び経験した内容の少なくとも一方の各々異なる複数の種類の中から選択された経験内容、及び当該経験内容に対するコメントの各データを対応して記憶する記憶手段を有するデータ検索装置に、興味対象のデータを送信し、興味対象のデータに基づいて検索された経験内容及びコメントをデータ検索装置から受信し、受信された各データに基づいて、興味の対象及び経験内容毎に、当該経験内容に対するコメントを表示するので、興味の対象及び経験内容毎に、どのようなコメントがあるのかをユーザが認識することができる、という効果を有する。
【００３８】
請求項１０及び２３に記載の発明は、複数の種類の経験内容の各々は、マークにより表現され、受信された経験内容を、マークにより表示するので、コメントに対応する経験内容を読まなくても当該マークによりユーザが認識することができる、という効果を有する。  
請求項１１及び２４に記載の発明は、コメントには、興味の対象に対する経験の説明及び興味の対象に対する経験の評価の少なくとも一方が含まれるので、より具体的な内容のコメントをユーザが認識することができる、という効果を有する。
【００３９】
請求項１２及び２５に記載の発明は、興味の対象、当該興味の対象に対して経験したい内容及び経験した内容の少なくとも一方の各々異なる複数の種類の中から選択された経験内容、及び当該経験内容に対するコメントの各データを対応して記憶し、興味の対象のデータを受信した場合、受信された興味の対象のデータに対応する経験内容及びコメントの各データを記憶手段から検索し、検索された各データを送信するので、送信先のユーザが興味の対象のデータに対応する経験内容及びコメントの各データを認識することができる、という効果を有する。  
請求項１３及び２６に記載の発明は、コメントには、興味の対象に対する経験の説明及び興味の対象に対する経験の評価の少なくとも一方が含まれるので、より具体的な内容のコメントをユーザが認識することができる、という効果を有する。
【図面の簡単な説明】
【００４０】
【図１】本実施の形態におけるシステムのシステム構成を示す概念図である。
【図２】ユーダ端末、サーバ等の構成を示すブロック図である。
【図３】データ収集及び検索サイトの表示画面を示す平面図である。
【図４】データベースの構成図である。
【図５】端末の処理を示すフローチャートである。
【図６】端末の処理を示すフローチャートである。
【図７】最初の投稿画面を示す平面図である。
【図８】インデックスの選択画面を示す平面図である。
【図９】コメント入力画面を示す平面図である。
【図１０】評価表示に用いる図柄のリスト表示を示す平面図である。
【図１１】サーバの処理を示すフローチャートである。
【図１２】経験情報表示領域を示す平面図である。
【図１３】端末の処理を示すフローチャートである。
【図１４】閲覧画面を示す平面図である。
【図１５】検索結果画面を示す平面図である。
【図１６】検索結果画面を示す平面図である。
【発明を実施するための形態】
【００４１】
以下本発明のデータ収集及び検索システム１００の好適実施形態について、添付図面に基づいて詳細に説明する。図１は、本実施の形態における検索システム１００のシステム構成を示す概念図である。本実施形態における検索システムは、予め会員登録された会員間において、サイト上において所定の事象についての経験情報を募集し、集められた経験情報を蓄積し、蓄積された経験情報を検索するデータ収集及び検索システムである。
【００４２】
図１に示すように、データ収集及び検索システム１００は、ユーザ端末１ａ〜１ｄ、及びサーバ２とが、ネットワークＮｅを介して接続されることにより構成されている。  
ネットワークＮｅは、電話回線網、ＩＳＤＮ（Ｉｎｔｅｇｒａｔｅｄ ＳｅｒｖｉｃｅｓＤｉｇｉｔａｌ Ｎｅｔｗｏｒｋ）回線網、ＡＤＳＬ通信網、光通信網、専用線、移動体通信網、通信衛星回線、ＣＡＴＶ回線網等の各種通信回線と、それらを接続するインターネットサービスプロバイダ基地局等を含む。また、ネットワークＮｅは、限られたエリア内におけるネットワークであるイントラネットであってもよい。ここで、イントラネットは、サーバと、複数のクライアントとを接続して構成され、接続されたサーバ、及び複数のクライアント間で情報や資源を共有するための、限られたエリア内におけるネットワークである。なお、ネットワークＮｅは、任意な時に接続が可能であればよく、常時接続されている必要はない。各端末間の接続回線を有線回線として図示したが、これらは無線回線であっても良い。
【００４３】
データ送信装置としてのユーザ端末１ａ〜ｄは、例えば、汎用のパーソナルコンピュータ（ＰＣ）１ａ、ノート型ＰＣ１ｂ、その地、ＰＤＡ（Ｐｅｒｓｏｎａｌ Ｄｉｇｉｔａｌ Ａｓｓｉｓｔａｎｔ）１ｃ、携帯電話１ｄ等の携帯端末などにより構成され、データ収集及び検索システム１００を利用する会員或いはシステム管理者により管理される端末である。なお、ユーザ端末１ａ〜ｄを統括して示す場合は、「ユーザ端末１」と記す。
【００４４】
ユーザ端末１は、Ｗｅｂサイトを閲覧するためのアプリケーションソフトであるブラウザを搭載し、このブラウザによりサーバ２が開設するＨＰ（ホームページ（以下、データ収集及び検索サイトという））にアクセスする。そして、サーバ２が提供するデータ収集及び検索サイトを介して、情報の送受信を行うことにより、経験の選択、経験対象の投稿、コメントの投稿、写真の投稿又は閲覧、コメントに対する意見の投稿、検索キーワードの入力、検索結果の閲覧等の送受信、等のサービスの提供を受ける。
【００４５】
なお、ユーザは、ユーザ端末１を介して、データ収集及び検索サイトを閲覧できるが、更に、会員登録することができる。会員登録のためには、会員となろうとするユーザは、ユーザ端末１を介して、データ収集及び検索サイトにおける会員登録画面を利用して、ユーザ情報として、ユーザＩＤ、パスワード、氏名、会員番号、年齢、職業、年収、性別、役職、メールアドレス、電話番号、専門分野、職種、得意分野、趣味、居住地域（住所、又は職場の住所）、飲食の嗜好（甘いもの好き、辛いもの好き等）等をサーバ２に送信する。サーバ２は、ユーザ情報を登録し、サーバ２の備える記憶手段としての記憶部（２６、図２参照）に、当該ユーザ情報を記憶する。そして、会員登録を行った後は、会員は、データ収集及び検索サイトを利用するにあたっては、ユーザＩＤ及びパスワードを含むログイン情報をサーバ２に送信して、ログイン認証を行うことにより、データ収集及び検索サイトを利用可能となる。
【００４６】
また、ログイン情報は、ユーザＩＤ及びパスワードに限らず、例えば、メールアドレス、又は氏名及び会員番号であってもよく、上述したユーザ情報に含まれる情報によりログイン認証が行える構成であれば良い。  
或いは、予めユーザ登録を行わずに、経験の選択、コメントを投稿する際に、ユーザを特定可能な情報（例えば、氏名、住所、年齢［生年月日］、職業、年収、性別、役職、メールアドレス、電話番号等）を経験の選択、コメントと同時に入力させることによりデータ収集及び検索システム１００の利用権限を許諾する構成であっても良い。
【００４７】
図２を参照して、ユーザ端末１の内部構成の一例を説明する。図２は、通信端末としてのユーザ端末１の要部構成を示すブロック図である。図２に示すように、ユーザ端末１は、制御手段としてのＣＰＵ（Ｃｅｎｔｒａｌ Ｐｒｏｃｅｓｓｉｎｇ Ｕｎｉｔ）１１、入力部１２、表示手段としての表示部１３、送信手段及び受信手段としての通信部１４、ＲＡＭ１５、記憶部１６等から構成され、各部はバス１７により接続されている。ＣＰＵ１１は、記憶部１６に格納されているシステムプログラム、Ｗｅｂブラウザなどの各種アプリケーションプログラムの中から指定されたプログラムをＲＡＭ内の図示しないワークエリアに展開し、入力部１２から入力されるデータに応じて、プログラムに従った各種処理を実行し、処理結果をＲＡＭ１５内のワークメモリに格納する。また、処理結果を表示するための表示情報を生成して表示部１３へ出力する。ＣＰＵ１１は、記憶部１６からブラウザのプログラムを読み出し起動し、サーバ２にアクセスして、データ収集及び検索サイトから、データ収集及び検索サイトの後述する画面データを受信して、ＲＡＭ１５に記録すると共に、表示部１３にデータ収集及び経験検索サイトの画面（図３参照）を表示させる。
【００４８】
図３は、表示部１３に表示され上記画面例を示す図である。図３に示されているように、画面１３１には、メニューバー１３１Ａ、アドレスバー１３１Ｂ、データ収集・検索ツールバー１３１Ｃ、表示領域１３１Ｄが設けられている。メニューバー１３１Ａには、頻繁に利用する機能をアイコン化したボタンが並べて表示されており、それぞれのアイコンを操作することにより、各アイコンに対応した機能が実現される。アドレスバー１３１Ｂには、データ収集及び検索サイトのアドレスが表示される。
【００４９】
収集・検索ツールバー１３１Ｃには、経験入力ボタン１３１ｄ、経験表示ボタン１３１ｅ、検索ボタン１３１ｇが設けられている。  
経験入力ボタン１３１ｄは、表示領域１３１Ｄに経験の入力用の画面の表示を指示するボタンである。経験表示ボタン１３１ｅは、表示領域１３１Ｄに、経験した対象と、その経験の内容に関するコメント、予め複数種類に分類された経験のリストの領域の表示を指示するボタンである。表示領域１３１Ｄに表示される情報は、例えば、ＨＴＭＬ形式で記述されており、ブラウザを介してダウンロードした文書や画像表示される。上記各画面データはサーバ２から受信する。
【００５０】
入力部１２は、かな／英数字入力キー、カーソルキー及び各種機能キー等を備えたキーボード（入力手段）と、ポインティングデバイスであるマウス（指定手段）とを備えて構成され、キーボードで押下操作されたキーの押下信号とマウスによる操作信号とを、入力信号としてＣＰＵ１１へ出力する。また、ユーザ端末１がＰＤＡ、携帯端末等である場合、入力部１２は、カーソルキー、数字キー及び各種機能キー等を備えて構成され、タッチパネル等のポインティングデバイスや、その他の入力装置を備えるものとしてもよい。
【００５１】
表示部１３は、ＣＲＴ（Ｃａｔｈｏｄｅ Ｒａｙ Ｔｕｂｅ）やＬＣＤ（Ｌｉｑｕｉｄ Ｃｒｙｓｔａｌ Ｄｉｓｐｌａｙ）等により構成され、ＣＰＵ１１から入力される表示信号の指示に従って各種表示データの画面表示を行う。例えば、表示部１３は、ＣＰＵ１１の制御に応じて、収集・検索ツールバー１３１Ｃを備えるブラウザ画面１３１に後述する各種画像を画面に表示する。
【００５２】
通信部１４は、ＬＡＮ（Ｌｏｃａｌ Ａｒｅａ Ｎｅｔｗｏｒｋ）、ＷＡＮ（Ｗｉｄｅ Ａｒｅａ Ｎｅｔｗｏｒｋ）、あるいはインターネット等の各種ネットワークに接続された伝送媒体に接続可能なインターフェイスである。具体的には、ネットワークインターフェースカード、モデム（ＭＯＤＥＭ：ＭＯｄｕｌａｔｏｒ／ＤＥＭｏｄｕｌａｔｏｒ）又はターミナルアダプタ（ＴＡ：Ｔｅｒｍｉｎａｌ Ａｄａｐｔｅｒ）等によって構成され、既述の通信回線を介して外部機器との通信を行うための制御を行う。  
ＲＡＭ（Ｒａｎｄｏｍ Ａｃｃｅｓｓ Ｍｅｍｏｒｙ）１５は、ＣＰＵ１１によって実行される各種プログラムやこれら各種プログラムによって処理されたデータ等を一時的に記憶するワークエリアを形成する。上記のように、サーバ２からダウンロードした画面データが記憶される。
【００５３】
記憶部１６は、プログラムやデータ等があらかじめ記憶されている記憶媒体（図示せず）を有しており、この記憶媒体は磁気的、光学的記録媒体、若しくは半導体メモリ等で構成されている。この記憶媒体は記憶部１６に固定的に設けられるもの、若しくは着脱自在に装着するものであり、この記憶媒体には、システムプログラム、当該システムに対応する各種処理プログラム、及び各種処理プログラムで処理されたデータ等を記憶する。また、記録媒体に記憶するプログラム、データ等は、その一部若しくは全部をサーバやクライアント等の他の機器からＷＡＮ、ＬＡＮ等のネットワーク回線の伝送媒体を介して通信部１４から受信して記憶する構成にしてもよく、さらに、記録媒体はネットワーク上に構築されたサーバの記録媒体であってもよい。また、前記プログラムをネットワーク回線等の伝送媒体を介してサーバやクライアントへ伝送してこれらの機器にインストールするように構成してもよい。  
具体的に記憶部１６は、ブラウザのプログラムを記憶している。或いは、ＣＤ−Ｒ、メモリ等の記録媒体から収集・検索プログラムをインストールする構成であっても良い。
【００５４】
次に、収集・検索サーバ２について説明する。なお、サーバ２の要部構成については、上述したユーザ端末１の要部構成と略同一とするため、各構成部分には同列の符号を付し（図２参照）、その構成の図示及び説明は省略する。以下では、サーバ２に特徴的な機能、及びサーバ２に備えるデータベースについて詳細に説明する。
【００５５】
サーバ２は、処理手段としてのＣＰＵ２１、入力部２２、表示部２３、送信手段及び受信手段としての通信部２４、ＲＡＭ２５、記憶手段としての記憶部２６等を備えて構成され、各部はバス２７により接続されている。サーバ２は、会員同士の間で、興味のある対象とその対象に対する経験の内容、経験のコメントを行うデータ収集サイト、及び検索サイトをインターネット上に開設する。そして、上述したサイトにおいて、ユーザ端末１から興味のある対象、その対象についての経験したい内容、経験した内容、経験の内容に対するコメント、写真等の視覚情報、検索に係る情報を受信し、受信した情報に基づいて検索処理等を実行する。
【００５６】
記憶部２６は、システムプログラム、当該システムに対応する各種処理プログラム、後述する画面データ、及び各種処理プログラムで処理されたデータ等を記憶する各種データベースを備える。この他、記憶部２６は、図４に示されているように、データ収集及び検索システム１００において蓄積・使用されるデータを格納するデータベースＤＢ２を有する。データベースＤＢ２は複数の記憶エリアを備え、予め分類されている経験の内容に関する情報、入力された経験の対象、選択された経験の内容、経験に関するコメント、コメントに関連する視覚情報等が、ログデータ２０１a、経験内容データ２０１ｂ、選択経験データ２０２ｃ、コメントデータ２０３ａ、ユーザデータ２０４ａ、検索データ２０５ａに分類されて記憶されている。
【００５７】
ログデータ２０１ａは、上記データ収集及び検索サイトを閲覧したユーザのユーザＩＤ、閲覧日時、閲覧回数、ポイント付与の有無、ユーザがサイト内のどのカテゴリを訪れたか、或いは、上記サイトからどのサイトへ遷移したか等のデータである。なお、閲覧日時、閲覧回数等のデータはユーザＩＤに対応して記憶されている。
【００５８】
経験内容データ２０１ｂは、興味対象データ、経験内容データ、選択経験データとを含んでいる。興味対象データは、経験したい興味の対象或いは経験した対象データであり、経験内容データは、その興味の対象に対して経験したい内容、経験した内容が複数の具体的な内容に特定されて記憶されているデータである。例えば、予め特定されている経験の分類とは、飲んだ／食べた／使った／行った／見た／買った／経験した、などである。選択経験データは、予め特定されている前記経験の例の中から、データを入力したユーザが選択した選択肢（経験）である。
【００５９】
コメントデータ２０３ａは、テキストデータとして入力された経験内容に関するデータ（経験の説明）と、コメント欄に入力したコメントデータ、後述する評価表示領域１３１Ｄ４５に入力された評価情報（図柄の種類と、数）及び、イメージデータを含むものである。格納されるこれらのデータは、それぞれ後述のユーザデータに関連づけられ、さらに相互に関連づけられて、それぞれ別個の記憶領域に記憶される。
【００６０】
ユーザデータ２０４ａは、上記データ収集及び検索サイトに会員として登録されているユーザのユーザ情報（属性情報（登録される会員に備わっている固有の性質・特徴）等）であり、ユーザＩＤに対応して記憶している。具体的に、ユーザ情報には、ユーザＩＤに対応して記憶された、パスワード、氏名、会員番号、年齢、職業、年収、性別、役職、メールアドレス、電話番号、専門分野、職種、得意分野、趣味、居住地域（住所、又は職場の住所）、飲食の嗜好（甘いもの好き、辛いもの好き等）がある。  
検索データ２０５ａは、検索文又は検索キーワード、入力した日時、場所（ＩＰ）、選択された経験(及びその経験に対応して決められているマーク)、などが、ユーザ情報に関連付けられて記憶される。
【００６１】
上記説明したデータベースＤＢに記憶されている各種データは、必要に応じて適宜ユーザ端末１に送られ、又ユーザ端末１からのデータの供給によって適宜更新される。  
データベースＤＢ２における経験内容データ２０１ｂによって、選択肢記憶手段が構成され、選択経験データ２０２ｃとコメントデータ２０３ａによって、データ蓄積手段が構成される。ＣＰＵ２１と記憶部２６によってデータ検索装置が構成される。
【００６２】
次に、本実施の形態の動作を説明する。以下に示す図５及び図６のフローチャートに記述されている各機能を実現するためのプログラムは、読み取り可能なプログラムコードの形態でサーバ２の記憶部２６に格納されており、ＣＰＵ２１は、このプログラムコードに従った動作を逐次実行する。また、図示しないＣＤ−ＲＯＭ、ＤＶＤ―ＲＯＭ等から外部供給されるプログラム／データを利用してこの実施の形態特有の動作を実行することも可能である。
【００６３】
ユーザ端末１側の手順を、図５及び図６を参照して説明する。以下に説明するのは、ユーザ端末１を、会員が経験を投稿する投稿者として使用する場合であり、ユーザ端末１は、経験投稿端末として機能する。ブラウザによりアクセスしたデータ収集及び検索サイトから受信したＩＤ入力画面を表示する（ステップＳ１０１）。ＩＤ入力画面の所定の欄に入力された検索者のユーザＩＤとパスワードを取得し、サーバ２へ送信する（ステップＳ１０３）。サーバ２は、会員を特定するユーザＩＤを取得することによって、投稿者の属性情報や過去の投稿内容(投稿時に選択したインデックスや投稿したコメントの内容)に関する情報や投稿履歴情報を特定することができる。
【００６４】
サーバ２から、承認する旨の回答と、経験カテゴリ選択画面（図３）に表示する各種のカテゴリのデータ（サーバ２の記憶部２６に記憶されている）と、を受信した後、経験カテゴリ選択画面（図３）に、受信した経験カテゴリを表示する（ステップＳ１０５）。図３に示されている例では、表示領域１３１Ｄに投稿する経験の内容が含まれると予想される複数のカテゴリが表示される。カテゴリは、大まかに分類された複数の第１カテゴリと、カテゴリによっては、第１カテゴリを細分化した第２カテゴリが設けられている。各第１カテゴリを選択すると、図７に示されているような、経験を投稿する画面が表示される。  
この実施形態では、第１カテゴリとして［食べ物］を選択したものとして、説明を進める。
【００６５】
データ収集・検索ツールバー１３１Ｃの経験入力アイコン１３１ｄにカーソルを重ねてクリックすることで（以下、この操作を「押す」と称する）、図７に示されているように、経験入力画面の画面データを、サーバ２から受信して当該経験入力画面が表示される（ステップＳ１０６）。経験入力画面１３１Ｄには、経験内容に関する対象を入力する対象情報入力領域１３１Ｄ３が表示され、該対象情報入力領域１３１Ｄ３には、経験した対象をテキストデータとして入力するテキストデータ入力領域１３１Ｄ３１と、経験内容のインデックスを選択する選択肢表示ボタン１３１Ｄ３２と、入力した情報を確定する決定ボタン１３１Ｄ３３とが表示される。
【００６６】
経験内容のインデックスとは、予め設定された複数の経験内容であって、投稿者は、その複数のインデックスのなかから、自己の経験した内容が当てはまるものを選択する。このインデックスには、例えば、見た、聞いた、触った、食べた、飲んだ、使った、行った、買った、売った、経験した、乗った、借りた、貸した、プレイした、欲しい、などの経験や経験の願望を意味する内容が設定されている。これらのインデックスは、それぞれその経験の内容を端的に表す図柄が施されたマークが決められており、マークを一見することで、その経験が容易に把握できるようになっている。選択肢表示ボタン１３１Ｄ３２は、このマークと同形状で、同じ大きさに設定されている。
【００６７】
経験情報入力画面では、テキストデータ入力領域１３１Ｄ３１に、興味の対象、当該興味の対象に対して経験したい内容及び経験した内容の少なくとも１つを、テキストデータで入力する。興味の対象とは、例えば、新製品の清涼飲料水や、電気製品、旅行で行ってみたい地方や温泉、特定の学問やセミナー、運動理論などの事象であり、経験したい内容とは、例えば、乗馬や、ライン下り、釣り、セミナーの受講などの行為や思考、経験した内容とは、例えば既に経験したこと、及び経験したことに基づく感想、期待する内容、経験することよって得られると予想される感想などである。
【００６８】
図８に示さされているように、選択肢表示ボタン１３１Ｄ３２を押す（ステップＳ１０９）と、それぞれ異なる経験の内容を表す複数の選択肢を表すマークが、対象情報入力領域１３１Ｄ３と同じ画面に表示される（ステップＳ１１１）。このマークの数は、最初に選択したカテゴリ毎に決定されており、複数のカテゴリに共通して設定されるマーク、カテゴリ毎に設定されているマークなどがあり、投稿者は、自己の経験した内容に最も合致し、又は近い内容のマークを選択する。選択する場合には、選択したマークにカーソルＰｄを重ねて押す。マークが選択されると、選択肢表示ボタン１３１Ｄ３２が選択されたマーク１３１Ｄ３４に変更される。
【００６９】
マークが選択された場合には（ステップＳ１１３）、決定ボタン１３１Ｄ３３が押されたか判断する（ステップＳ１１５）。押された場合（これにより選択経験データが決定される。）には、テキストデータ入力領域１３１Ｄ３１に対象が入力されているか判断し（ステップＳ１１７）、入力されている場合には、図９に示されているコメント入力画面を表示する（ステップＳ１１９）。入力されていない場合には、対象の入力を促すコメントが添えられた前画面（選択されたマークが表示された経験入力画面）が維持される（ステップＳ１２１）。  
コメント入力画面では、対象情報入力領域１３１Ｄ３に加えて、コメント入力領域１３１Ｄ４１、イメージ表示領域１３１Ｄ４２、ファイル参照ボタン１３１Ｄ４３、評価選択ボタン１３１Ｄ４４、評価表示領域１３１Ｄ４５、投稿ボタン１３１Ｄ４６が表示される。
【００７０】
コメント入力領域１３１Ｄ４１には、マークを選択したインデックスに対応した経験の具体的な内容が文章によって入力される。ファイル参照ボタン１３１Ｄ４３を押すと、端末１内のファイルを参照するウインドが表示され、端末１内に記憶されているイメージを選択することができる構成となっている。選択されたイメージデータは、イメージ表示領域１３１Ｄ４２に画像として表示される。イメージデータは、入力してもしなくてもよい。  
評価選択ボタン１３１Ｄ４４が押されたか判断する（ステップＳ１２３）。評価ボタン１３１Ｄ４４が押されると、図１０に示されているように、評価内容を視覚的に示す図柄が、同じ画面に、複数種類表示される（ステップＳ１２５）。各図柄は、異なる図を備え、例えば、顔の表情を示す図、動物の図、天候を示す図、地図記号、道路標識、など、既に一般的に共通した意味が認識されている記号や標識、熱い、冷たい、涼しい、辛いなどの感覚を表す図、道具を表す図などが含まれる。
【００７１】
投稿者は、これらの図柄を押すことで、その図柄を通じて、評価の内容を視覚的に、感覚的に表すことができる。この図柄は複数個表示することができ、また、複数種類の図柄も選択できる。選択された図柄は、予め決められた個数、評価表示領域１３１Ｄ４５に表示される。図柄が押されると（ステップＳ１２７）、その都度、評価表示領域１３１Ｄ４５に押された図柄が、追加され、押された順番に配列されて表示される（ステップＳ１２９）。即ち、評価の内容を図柄によって感覚的にかつ端的に表示でき、かつ、図柄の個数によって、その程度を表することができる。選択する図柄が、複数ある場合には、複数の図柄により、より詳細な評価内容を表すことが可能となる。例えば、辛い味を表現するトウガラシの図柄と、笑顔の図柄（図１０中、下から３段目、左から１０行目の図柄）を組み合わせることにより、「辛くて美味しい」という評価を示すことができる。また、トウガラシの図柄と、しかめっ面の図柄（図１０中、下から３段目、右から３行目の図柄）を組み合わせることにより、「辛すぎて美味しくない」という評価を示すことができる。
【００７２】
図柄によって評価内容を表す手段とて、上記の他に、イメージ表示領域１３１Ｄ４２に格納されている写真等のイメージデータを装飾する装飾図柄として、評価図柄（図１０）を使用させることにより、評価表示領域１３１Ｄ４５に格納された図柄と同じ意味を持たせるような構成としてもよい。例えば、イメージデータを装飾する図柄として、トウガラシと笑顔の図柄をイメージに重ねて、イメージデータを作り上げることにより、装飾に利用された図柄の種類と数で、評価情報を構成することができる。
【００７３】
具体的には、イメージ表示領域１３１Ｄ４２に写真等のイメージデータを格納した後、評価選択ボタン１３１Ｄ４４を押して、図１０に示されているように図柄リストを表示させ、所望の図柄をポインティングデバイスで指定して、これをドラッグし、イメージ表示領域１３１Ｄ４２内のイメージデータ上の所望の位置にドロップさせる。このように、イメージの装飾に利用された図柄の種類と数によって、評価内容が或る程度特定できるように構成することもできる。
【００７４】
以上の通り、経験内容に関する情報の入力が終了すると、投稿ボタン１３１Ｄ４６が押されたか判断する（ステップＳ１３１）。押された場合には、コメント入力領域１３１Ｄ４１にコメントが入力されているか否か判断し（ステップＳ１３３）、入力がされていない場合には、入力を促す表示を付けて、投稿ボタン１３１Ｄ４６を押す直前の画面を表示する（ステップＳ１３５）。コメントが入力されている場合には、端末１で取得された経験内容に関する情報は、サーバ２に送られる。
【００７５】
次に、サーバ２の動作について説明する。図１１は、ユーザ端末１から、経験内容情報が供給されるサーバ２の処理動作を示すフローチャートである。ユーザ端末１から投稿者のユーザＩＤを受信し（ステップＳ２０１）、会員であることを認証した（ステップＳ２０３）後、ユーザＩＤによって特定された投稿者の情報を会員データベースＤＢ２から抽出しておく（ステップＳ２０５）。この投稿者の情報には、属性情報、投稿者がした過去の経験内容に関する情報（例えば、投稿回数、投稿された興味対象とそのカテゴリとインデックス）、及び投稿者が検索者として検索した過去の検索情報（検索文及びキーワード、入力日時、場所）に関する情報、が含まれる。
【００７６】
次に、ユーザ端末１から投稿者が選択した経験カテゴリを取得する（ステップＳ２０７）。ステップＳ２０７で取得した経験カテゴリ情報に基づいて、取得された経験カテゴリに対応する経験入力画面データを準備する（ステップＳ２０９）。この処理は、サーバ２が、記憶しているデータから抽出して構成されるもので、例えば、経験入力画面上に各入力領域を表示するためのデータ、及び、選択肢表示ボタンを押した際に表示される複数の選択肢の情報（選択肢のイメージデータ、イメージに担時された情報等）等を準備する。準備されたデータを端末１に送信する（ステップＳ２１１）。  
経験内容に関する情報を受信したか判断する（ステップＳ２１３）。受信した場合には、受信した情報を投稿者を特定する情報に関連付けて記憶部２６に記憶する（ステップＳ２１５）。
【００７７】
受信された経験内容に関する情報は、テキストデータ入力領域１３１Ｄ３１に、入力された「興味の対象」及び「当該興味の対象に対して経験したい内容及び経験した内容」、及びステップＳ１１３で決定されたマーク、コメント入力領域１３１Ｄ４１にテキストデータで入力されたコメント、イメージ表示領域１３１Ｄ４２に格納されたイメージ情報、評価表示領域１３１Ｄ４５に入力された図柄の種類と、各図柄の数が含まれる。これらの情報は、別個の記憶領域に格納される。なお、「興味の対象」と、「当該興味の対象に対して経験したい内容及び経験した内容」は、テキストデータ入力領域１３１Ｄ３１に、入力されたテキストデータから公知の言語解析ソフトを利用して抽出され、「興味の対象」は興味対象データとして、「当該興味の対象に対して経験したい内容及び経験した内容」は、経験内容データとして記憶される。また、ステップＳ１１３で決定されたマークは、選択経験データとして記憶される。コメント入力領域１３１Ｄ４１にテキストデータで入力されたコメントは、コメントデータとして記憶され、イメージ表示領域１３１Ｄ４２に格納されたイメージ情報は、イメージデータとして記憶され、評価表示領域１３１Ｄ４５に入力された評価情報（図柄の種類と、数）は、評価情報として記憶される。
【００７８】
受信した日時を投稿日時として記憶する。また、イメージデータとして、写真を投稿した場合には、写真撮影時に生成された撮影日時に関する情報が、イメージデータに付与されている場合があるので、投稿日時を、撮影の日時として記憶しても良い。記憶される日時として、投稿日時又は撮影日時のいずれかを投稿者が選択できるように、イメージ表示領域１３１Ｄ４２の近傍に選択ボタンを設け、投稿ボタン１３１Ｄ４６を押す前に、選択できるように構成してもよい。或いは、イメージデータが選択されておらず、又は、選択されたイメージデータに、撮影日時に関するデータが付与れていない場合には、実際に受信した日時を、撮影日時に関するデータが付与されている場合には、撮影日時を投稿日時として記憶するように設定されていてもよい。
【００７９】
図１２に示されている経験情報表示領域作成情報を生成する（ステップＳ２１７）。ステップＳ２１７で作成された経験情報表示領域作成情報によって、画面に表示される経験情報表示領域が生成される。以下、図１２に示されている経験情報表示領域について説明する。経験情報表示領域１３１Ｅ５では、領域の隅付近に（図中では、左上隅）、経験のインデックスであるマーク１３１Ｅ５１が表示され、中央部に投稿者が投稿した投稿イメージ表示部１３１Ｅ５２が設けられ、投稿イメージ表示部１３１Ｅ５２の下側には、評価表示領域１３１Ｅ５３とコメント表示領域１３１Ｅ５４が配置される。さらに、その近傍には、投稿者を特定する投稿者情報表示部１３１Ｅ５５が設けられ、該表示部には、投稿者イメージ、投稿者のハンドルネール、投稿時刻等が表示される。投稿者情報表示部１３１Ｅ５５と、投稿イメージ表示部１３１Ｅ５２の間には、興味対象として入力された対象が表示される対象表示部１３１Ｅ５６が配置されている。
【００８０】
この経験情報表示領域では、経験のインデックスであるマーク１３１Ｅ５１を見ることで、経験の分類が容易に把握できる。また、投稿イメージ表示部１３１Ｅ５２に示されたイメージによって、投稿者の伝えたい経験の内容や対象が視覚的に容易に把握できる。さらに、評価表示領域１３１Ｅ５３に表示される図柄の種類と数によって、経験の内容が視覚的に表示されるので、感覚的に経験の内容を把握することが容易となる。例えば、図示の例では、パンチの図柄１３１Ｅ５３１が選択されていることから、パンチが効いた飲みモノであること、かつ、ケーキの図柄１３１Ｅ５３２が選択されていることから、甘さもあることを一見して把握できる。
【００８１】
また、パンチの図柄１３１Ｅ５３１とケーキの図柄１３１シ５３２の数から、「どちらかと言うと甘みの方が勝っている」ということを感覚的に瞬時に把握することができる。そして、評価表示領域１３１Ｅ５３で、甘みが勝っているソーダであることは分かったが、結局旨いのか、不味いのか・・を知ることはできない。そこで、コメント表示領域１３１Ｅ５４に表示されるコメントを読む。このコメント表示領域１３１Ｅ５４は、入力できる文字数が少なめに設定されているので、投稿者は、最も印象に残った情報のみ入力する傾向となる。つまり、コメントは簡潔なものとなり、比較的容易に内容を読み取ることができることとなる。このコメント表示領域１３１Ｅ５４では、投稿者は「美味しい」と結論付けており、パンチよりも甘みは勝っているが、総合評価としては美味しいということが、この経験情報表示領域に表示されている経験情報によって知ることができる。
【００８２】
次に、蓄積された経験情報を閲覧する場合の操作について図１３に示されているフローチャートに基づき説明する。この場合、端末１は、閲覧端末として使用される。閲覧者が、「ＡＢＣソーダ」の経験情報を閲覧したい場合について説明する。図３に示されている初期画面において、経験表示ボタン１３１ｅを押す（ステップＳ３０１）。サーバ２から経験表示画面を取得し表示する（ステップＳ３０３）。
【００８３】
サーバ２では、端末１から経験表示画面の送信要求があつたか？判断し（ステップＳ４０１）、要求があった場合には、経験表示画面を作成する（ステップＳ４０３）。図１４は、サーバ２で作成される経験表示画面の初期画面を示すものである。図示されているように、経験表示画面１３１Ｅは、上部に検索データ入力領域１３１Ｅ１が設けられ、その下側には、過去に投稿された経験情報を投稿単位で表示する経験情報表示領域１３１Ｅ５の配置スペース１３１ＥＬ１１〜１３１ＥＬ３５が複数個配列(図１４の例では、５列×３行)される経験情報配置領域１３１Ｅ２が設けられている。即ち、各配置スペース１３１ＥＬ１１〜１３１ＥＬ３５には、それぞれ異なる内容の経験情報表示領域１３１Ｅ５が表示されている。この表示順は、例えば、投稿日時、投稿件数の多い経験インデックス等に基づいて決定される。具体的には、投稿が新しい経験情報を上位に位置するように配置する。或いは、投稿件数の多い経験インデックスを含む経験情報を上位に位置するように配置するなどである。
【００８４】
検索データ入力領域１３１Ｅ１は、興味対象を検索する対象検索ワード入力領域１３１Ｅ１１と、検索開始ボタン１３１Ｅ１２と、経験インデックス検索ボタン１３１Ｅ１３とを備えている。  
経験情報は、図１２に示されているように、経験情報表示領域１３１Ｅ５毎に纏められており、経験情報表示領域１３１Ｅ５を一見するのみで、その対象に対する経験の内容が把握できる容認なっており、その経験情報表示領域１３１Ｅ５を一つの画面に多数同時に表示することで、多数の経験情報を一見して容易に把握できる構成となっている。  
以上のように構成された経験表示画面を、端末１に送信する（ステップＳ４０５）。この画面情報には、ステップＳ３０７で表示されるマークリスト情報も含まれる。
【００８５】
端末１では、表示された経験表示画面において、経験インデックス検索ボタン１３１Ｅ１３を押すと（ステップＳ３０５）、図８に示されているように、投稿時と同様、それぞれ異なる経験の内容を表す複数の選択肢を表すマークのリスト（１３１ＤＭＲ）が表示される（ステップＳ３０７）。このリストの中から検索する経験を表すマークを選択（押す）する。マークの選択がなされた場合には（ステップＳ３０９）、選択されたマークを特定する情報をサーバ２に送信する（ステップＳ３１１）。
【００８６】
サーバ２は、検索情報としてのマーク情報を受信したか判断し（ステップＳ４０７）、受信した場合には、同一のマーク情報を含む経験情報表示領域作成情報をデータベースＤＢ２に格納されている情報の中から検索する（ステップＳ４０９）(このステップＳ４０９により、検索手段が構成される。)。該検索された経験情報表示領域作成情報を所定の配列法則によって生成した第１の検索結果画面を作成し（ステップＳ４１１）、該作成した画面を端末１へ送信する（ステップＳ４１３）。配列法則は、例えば、投稿日時、コメント欄の文字数、投稿者の年齢などに基づいて決定される。
【００８７】
サーバ２で生成された検索結果画面を受信し（ステップＳ３１３）、受信した検索結果画面を表示する（ステップＳ３１５）。図１５は、検索結果画面を示すものである。この検索結果画面では、経験インデックスが共通する経験情報表示領域１３１Ｅ５が表示される。つまり、マークが同一の経験情報表示領域１３１Ｅ５が複数配列されている。しかし、興味対象となっているのは、「ＡＢＣソーダ」に限らず、「ＰＱＣワイン」「ＭＸビール」「ＣＲＰフラッペ」「ＢＣＡ缶ビール」などについての経験情報が表示されている。  
閲覧者は、「ＡＢＣソーダ」経験情報が知りたいので、対象検索ワード入力領域１３１Ｅ１１に、検索ワードとして「ＡＢＣソーダ」を入力し、検索ボタン１３１Ｅ１２を押す（ステップＳ３１７）と、検索キーワードがサーバ２に送信される（ステップＳ３１９）。
【００８８】
サーバ２では、検索情報としてのキーワードを受信したか判断する（ステップＳ４１５）。キーワードを受信した場合には、受信した検索キーワードに基づき、興味対象に検索キーワードを含む経験情報表示領域作成情報を、第１の検索結果画面を生成した複数の経験情報表示領域作成情報の中から検索する（ステップＳ４１７）。ステップＳ４１７によって検索手段が構成される。検索された経験情報を配列した第２の検索結果画面を生成する（ステップＳ４１９）とともに、端末１に該検索結果画面を送信する（ステップＳ４２１）。
【００８９】
サーバ２から第２の検索結果画面を受信し（ステップＳ３２１）、受信した画面を表示する（ステップＳ３２３）。  
ステップＳ３２３で受信した画面を図１６に表示する。経験表示画面１３１Ｅの経験情報配置領域１３１Ｅ２には、経験インデックスが「飲んだ」であり、興味対象が「ＡＢＣソーダ」である経験情報表示領域１３１Ｅ５が配列されている。図１６の例では、検索された経験情報が少なく、経験情報表示領域１３１Ｅ５の配置スペース１３１ＥＬ１１〜３５の全てが経験情報表示領域１３１Ｅ５で埋められず、配置スペース１３１ＥＬ２５〜３５は空欄となる。このような検索結果画面により、閲覧者は、「ＡＢＣソーダ」の経験情報を容易にかつ的確に把握することができる。なお、ステップＳ４１９において、経験情報表示領域１３１Ｅ５の配列方法は、さらに、投稿者の個人データを抽出し、投稿者の年齢/性別/職業等に基づいて配列順序を決定してもよい。
【００９０】
ステップＳ３１９に基づくサーバ２の検索処理（ステップＳ４１５〜Ｓ４１７）において、検索キーワードに基づく検索対象は、興味対象のみならず、「当該興味の対象に対して経験したい内容及び経験した内容」が記憶されている経験内容データをも対象としてもよく、更にはコメントが記憶されているコメントデータを対象としてもよい。或いは、ステップＳ３１１で選択されたマークを特定する情報を送信するとともに、検索キーワードを同時に送信する構成としてもよい。これにより、サーバ２は、経験インデックスが共通する経験情報を検索し、更に、その中から検索キーワードを含む経験情報を検索し、検索結果画面を生成する構成とすることもできる。さらに、検索方法は、経験インデックス、検索キーワードの他に、評価情報である図柄を含めることもできる。
【００９１】
この明細書は以下の事項を開示する。  
（１）興味の対象、当該興味の対象に対して経験したい内容及び経験した内容の少なくとも一方の各々異なる複数の種類の中から選択された経験内容、及び当該経験内容に対するコメントの各データを入力するための画面を表示する表示手段と、
前記表示手段により表示された前記画面を利用して、前記各データを入力する入力手段と、
前記入力手段により入力された前記各データを送信する送信手段と、
を備えたデータ送信装置であって、
前記コメントには、前記興味の対象に対する経験の評価が含まれ、
前記画面には、予め定められた複数の種類の経験の評価を表現する複数の図柄が表示され、
前記入力手段は、前記表示された複数の図柄から１つ又は複数の図柄を選択することにより、前記経験の評価のデータを入力することを特徴とするデータ送信装置。
【００９２】
（２）前記経験の評価には、前記経験の価値の程度が含まれ、
前記入力手段は、前記選択された図柄の個数を設定することにより、前記経験の価値の程度のデータを入力する
ことを特徴とする上記（１）に記載のデータ送信装置。
【００９３】
（３）表示手段が、興味の対象、当該興味の対象に対して経験したい内容及び経験した内容の少なくとも一方の各々異なる複数の種類の中から選択された経験内容、及び当該経験内容に対するコメントの各データを入力するための画面を表示するステップと、
入力手段が、前記表示手段により表示された前記画面を利用して、前記各データを入力するステップと、
送信手段が、前記入力手段により入力された前記各データを送信するステップと、
を備えたデータ送信方法であって、
前記コメントには、前記興味の対象に対する経験の評価が含まれ、
前記画面には、予め定められた複数の種類の経験の評価を表現する複数の図柄が表示され、
前記入力手段は、前記表示された複数の図柄から１つの図柄を選択することにより、前記経験の評価のデータを入力することを特徴とするデータ送信方法。
【００９４】
（４）前記経験の評価には、前記経験の価値の程度が含まれ、
前記入力手段は、前記選択された図柄の個数を設定することにより、前記経験の価値の程度のデータを入力することを特徴とする上記（３）に記載のデータ送信方法。
【００９５】
上記（１）及び（３）に記載の発明は、コメントには、興味の対象に対する経験の評価が含まれ、画面には、予め定められた複数の種類の経験の評価を表現する複数の図柄が表示され、表示された複数の図柄から１つの図柄を選択することにより、経験の評価のデータを入力するので、ユーザは容易に経験の評価のデータを入力することができる、という効果を有する。  
上記（２）及び（４）に記載の発明は、経験の評価には、経験の価値の程度が含まれ、選択された図柄の個数を設定することにより、経験の価値の程度のデータを入力するので、ユーザは、より容易に経験の評価のデータを入力することができる、という効果を有する。
【符号の説明】
【００９６】
１  ユーザ端末
２  サーバ
１３１Ｄ  表示領域
１３１Ｄ３  対象情報入力領域
１３１Ｄ３１  テキストデータ入力領域
１３１Ｄ３２  選択肢表示ボタン
１３１Ｄ３４  マーク
１３１Ｄ４５  評価表示領域
１３１Ｅ５  経験情報表示領域
１３１Ｅ５１  マーク
【図１】
2014044714.tif 000003
【図２】
2014044714.tif 000004
【図３】
2014044714.tif 000005
【図４】
2014044714.tif 000006
【図５】
2014044714.tif 000007
【図６】
2014044714.tif 000008
【図７】
2014044714.tif 000009
【図８】
2014044714.tif 000010
【図９】
2014044714.tif 000011
【図１０】
2014044714.tif 000012
【図１１】
2014044714.tif 000013
【図１２】
2014044714.tif 000014
【図１３】
2014044714.tif 000015
【図１４】
2014044714.tif 000016
【図１５】
2014044714.tif 000017
【図１６】
2014044714.tif 000018